(57)【要約】【課題】自動車の車内へ日光が入るのを防ぐ、操作が簡単で安価な日除けスクリーンを提供する。【解決手段】自動車のダッシュボードの上面にポケットを凹設し、このポケットに日除けスクリーンを巻出し可能に巻いて収納したカートリッジを収容し、必要に応じて日除けスクリーンを巻き出してフロントガラスの上部に設けたフックに引っ掛けてフロントガラスを覆うことを特徴とする自動車のカートリッジ式日除けスクリーン。【選択図】  図１
2005104322.tif 000002
【特許請求の範囲】
【請求項１】
自動車のダッシュボードの上面にポケットを凹設し、このポケットに日除けスクリーンを巻出し可能に巻いて収納したカートリッジを収容し、必要に応じて日除けスクリーンを巻き出してフロントガラスの上部に設けたフックに引っ掛けてフロントガラスを覆うことを特徴とする自動車のカートリッジ式日除けスクリーン。
【請求項２】
ポケットがデフロスタ吹出口の後方で、エアーバッグ機構を避けて設けられる請求項１の自動車のカートリッジ式日除けスクリーン。
【発明の詳細な説明】
【技術分野】
【０００１】
本発明は、自動車の車内が太陽光で熱せられて熱くなるのを防ぐ自動車のカートリッジ式日除けスクリーンに関するものである。
【背景技術】
【０００２】
夏季等において、自動車を留守にしておくと、戻って来たときには、車内が太陽光で熱せられて非常に熱くなっており、車内に入ったときに非常に不快な思いをする。このため、急いでエアコンを作動させるが、車内が冷えるまでには相当に時間がかかり、エネルギーを無駄に使ってしまう。又、車内を無人にしておくときには、車内は（少なくともフロントガラスを通して）無遠慮に直接透視されるから、安全面で不安があるとともに、プライバシー面でも問題がある。
【０００３】
このため、夏季等で、自動車を留守にするときには、少なくとも、フロントガラスの部分を日除けスクリーンで覆ったりする。この日除けスクリーンには、蛇腹状の遮光スクリーンをダッシュボード上に立てた簡単なものから、下記特許文献に見られるような複雑なものまである。
【特許文献１】特開平８−１３２８７２号公報
【特許文献２】特開平９−１２３７５２号公報
【発明の開示】
【発明が解決しようとする課題】
【０００４】
特許文献１のものは、フロントガラスの上部に設けられるサンバイザーにロールに巻いたスクリーンを取り付けておき、自動車を留守にするときには、スクリーンを引き下げてフロントガラスを覆うものである。一方、特許文献２のものは、適宜間隔で水平バーを間に挿入したスクリーンを巻装したカートリッジをフロントガラス下部のダッシュボード等に収容しておき、フロントピラーに設けた回動ベルトで水平バーを引っ掛けてスクリーンを昇降させるものでる。
【０００５】
前者のものによれば、ロールに巻いたスクリーンがフロントガラスの上部に設けられているから、何かの拍子で重力によって落ちて来る危険がないとはいえない。もし、走行中にこのようなことがあると、ガラス全面を覆うことになって非常に危険なことになる。又、後者のものによれば、スクリーンを昇降させる回動ベルトをフロントピラーに設ける必要があり、これは、非常に複雑、かつ高価なものになる。本発明はこのような課題を解決するものであり、簡単で安全、しかも、安価な日除けスクリーンを具現したものである。
【課題を解決するための手段】
【０００６】
本発明は、請求項１に記載した、自動車のダッシュボードの上面にポケットを凹設し、このポケットに日除けスクリーンを巻出し可能に巻いて収納したカートリッジを収容し、必要に応じて日除けスクリーンを巻き出してフロントガラスの上部に設けたフックに引っ掛けてフロントガラスを覆うことを特徴とする自動車のカートリッジ式日除けスクリーンを提供したものである。又、本発明は、以上のカートリッジ式日除けスクリーンにおいて、請求項２記載した、ポケットがデフロスタ吹出口の後方で、エアーバッグ機構を避けて設けられる手段を提供する。
【発明の効果】
【０００７】
本発明によると、まず、第一は、日除けスクリーンはロールに巻いたカートリッジ方式であるから、ポケットへカートリッジそのものを装着すればよく、この操作が簡単である。第二は、日除けスクリーンをロールに巻いてフロントガラス下方のダッシュボートに設けるものであるから、重力の作用で絶対に上には上がらない。第三は、モータ等の駆動機構を要しないものであるから、構造が簡単で、安価である。
【発明を実施するための最良の形態】
【０００８】
図１は本発明の実施例を示す自動車の前方座席の正面図、図２は自動車のフロントガラス部分の断面図、図３は日除けスクリーンのカートリッジの断面図であるが、本発明に係る日除けスクリーン（以下、スクリーンという）のカートリッジは、ボックス（カートリッジ）１に収容したロール２にスクリーン３を巻いたもので構成している。この場合、ロール２は、ボックス１に対して回転可能に支持されるが、このとき、コイルバネ（図示省略）等によって巻取り側に付勢しておくのが好ましい。
【０００９】
このスクリーン３は、可撓性のあるフィルム材で構成してあり、その材質は問わない。ただし、酸化スズ、インジウム処理しておけば、熱赤外線を反射するものとなり、アルミ処理しておけば、太陽光を反射するものとなって断熱効果の高いものとなる。なお、スクリーン３の巻出端にはやや硬い素材で縁３ａを形成し、どの個所を引っ張っても、全体が等分に巻き上げられるようにしている。さらに、本例のスクリーン３の巻出端のやや内側には後述するフックに引っ掛けるための孔３ｂが一つ又は二つ設けられている。
【００１０】
以上のカートリッジ１は、自動車のダッシュボート４の内部に設けられた所要のポケット５に収容されるようになっている。ところで、このポケット５の平面形状は、ダッシュボード４の形状に合わせて多少外方に凸に湾曲させてあり、この湾曲は自動車の種類によっても異なる。このため、カートリッジ１（日除けスクリーン３も）を軟質樹脂等の変形可能な材料で構成し、ポケット５の湾曲形状にかかわらず収容できるようにしている。
【００１１】
このとき、カートリッジ１を収容したポケット５の上面は、蓋６で開閉できるようにしてある。則ち、冬季等でこれを使用しないときには、この蓋６でポケット５を覆っておけば、外観を損なうといったことがない。このとき、中のカートリッジ１を取り出しておけば、この空間を小物入れに利用できる。
【００１２】
なお、ダッシュボート４には、助手席側にはエアーバッグ機構７やデフロスタ機構８が設けられているから、ポケット５はこれを避けた位置に形成しておく（場合によっては、エアーバッグ機構７を変更しなければならないことがある）。則ち、ポケット５は、エアーバッグ機構７より前方で、デフロスタ吹出口９より後方に設けておく。
【００１３】
次に、以上の日除けスクリーンの使用について説明する。夏季等で、比較的長時間、自動車を留守にするときには、スクリーン３をカートリッジ１から巻き出してその上端に形成された孔３ｂをフロントガラス１０の上方に設けられたフック１１に係止する（このとき、カートリッジ１自体が上昇しないようにポケット５に軽く止められているのはいうまでもない）。
【００１４】
ところで、この場合、スクリーン３はフロントガラス１０に近い方が遮光効果が強くて好ましい。このため、カートリッジ１の直上等の両フロントピラーにローラ１２を僅か突設させて取り付けておく。そして、カートリッジ１から巻き出たスクリーン３をこのローラ１２に掛けてフロットガラス１０に接近させるようにしておく。
【００１５】
これにより、スクリーン３はフロントガラス１０のほぼ全面を覆い、太陽光の透過を遮断して車内が熱せられるのを防止する。さらに、透視も遮断して安全面やプライバシー面の向上を図る。同時に、スクリーン３は張られてその全容が露呈するから、個性を主張する一種の装飾ともなる。したがって、このスクリーン３の模様、色彩、形状に工夫を凝らしておくことで、同一車種であっても、他との差別化が可能になり、自己を演出できる。
【００１６】
一方、冬季等においては、この状態にしてデフロスタ吹出口９よりデフロスタ空気を吹き出せば、この空気はフロントガラス１０と日除けスクリーン３との間の狭い空間を高速で流れるから、あまり空気が暖まっていなくても、フロントガラス５に付着した霜や雪を短時間で除去するといった効果も期待できる。
【００１７】
以上、本発明の基本的な形態について説明したが、本発明は、この他に種々改変された形態をとることがあるのはいうまでもない。例えば、以上の日除けスクリーンはリアガラスやサイドガラスに施してもよい。又、日除けスクリーンは、モータ等で自動的に上げ下げすることもある。その構造として、モータを天井等に仕組んでおき、紐等で日除けスクリーンを吊り上げるものを始めとして種々のものが考えられる。
【図面の簡単な説明】
【００１８】
【図１】本発明の実施例を自動車の前部座席の正面図である。
【図２】本発明の実施例を示す自動車のフロントガラス部分の断面図である。
【図３】本発明の実施例を示す日除けスクリーンを収納したカートリッジの断面図である。
【符号の説明】
【００１９】
１    カートリッジ
２    ロール
３    日除けスクリーン
４    ダッシュボード
５    ポケット
６    蓋
７    エアーバッグ機構
８    デフロスタ機構
９    デフロスタ吹出口
１０  フロントガラス
１１  フック
１２  ローラ
【図１】
2005104322.tif 000003
【図２】
2005104322.tif 000004
【図３】
2005104322.tif 000005
【手続補正書】
【提出日】平成15年10月1日(2003.10.1)
【手続補正１】
【補正対象書類名】図面
【補正対象項目名】全図
【補正方法】変更
【補正の内容】
【図１】
2005104322.tif 000006
【図２】
2005104322.tif 000007
【図３】
2005104322.tif 000008